(57)【要約】【課題】  ＳＮＳの会員である利用者情報に基づき、レンタル傘の貸出を管理するシステムの提供を目的とする。【解決手段】  利用者が保持する携帯端末を用いて、レンタル傘に付与された識別情報を読み取り、当該読み取った識別情報を含む貸出要求情報をサーバへ送信することで、利用者情報とレンタル傘情報を管理するサーバが、レンタル傘の貸出認証処理を行い、承認したレンタル傘情報に関連する利用者情報に対して、当該レンタル傘情報に係る貸出情報を生成し、ＳＮＳ内の利用者情報に関連付けて管理するレンタル傘情報の管理システムを提供する。【選択図】  図１
2012008614.tif 000002
【特許請求の範囲】
【請求項１】
レンタル傘の利用者が保持する携帯端末と、レンタル傘に係る情報と利用者情報を管理するサーバと、がネットワークを介して通信可能に構成され、ＳＮＳ内における利用者情報とレンタル傘情報と管理を行うレンタル傘ＳＮＳ管理システムであって、
上記サーバは、
ＳＮＳの会員であってレンタル傘の利用者に係る利用者情報を記憶する利用者情報記憶手段と、
レンタル傘に係る傘情報を記憶する傘情報記憶手段と、
上記携帯端末との各種情報の送受信を制御する通信制御手段と、
上記携帯端末からのレンタル傘に係る処理要求を受信すると、当該レンタル傘に係る情報と処理要求に係る利用者の情報に基づき、傘情報と利用者情報を関連づけた情報を生成する情報生成手段と、
上記生成した情報を当該レンタル傘に関連する利用者情報に関連付け、ＳＮＳ内で当該利用者情報に係る傘情報の表示制御を行うＳＮＳ処理手段と、
を有することを特徴とするレンタル傘ＳＮＳ管理システム。
【請求項２】
上記レンタル傘には傘を識別できる傘識別情報が付与されており、上記携帯端末は、当該傘識別情報を上記レンタル傘から読み取り、当該傘識別情報と利用者識別情報を含む要求情報を生成し、上記サーバに対して処理要求を送信する、
ことを特徴とする上記請求項１に記載のレンタル傘ＳＮＳ管理システム。
【請求項３】
上記サーバは、上記携帯端末からレンタル傘の貸出要求を受信すると、当該貸出要求に含まれる傘識別情報に基づき、上記傘情報記憶手段を参照し、当該レンタル傘に係る傘情報を特定し、当該貸出要求に含まれる利用者識別情報に基づき、上記利用者情報記憶手段を参照し、利用者情報を特定し、当該特定した各種情報に基づき、貸出情報を生成する貸出処理手段を、さらに有する、
ことを特徴とする上記請求項１又は２に記載のレンタル傘ＳＮＳ管理システム。
【請求項４】
上記サーバは、上記携帯端末から貸出中のレンタル傘に係る返却要求を受信すると、当該返却要求に含まれる傘識別情報に基づき、上記傘情報記憶手段を参照し、傘情報を特定し、当該傘情報に係る借主の利用者情報の関連付けを解除し、返却情報を生成する返却処理手段を、さらに有する、
をことを特徴とする上記請求項１〜３のいずれかの項に記載のレンタル傘ＳＮＳ管理システム。
【請求項５】
上記携帯端末は、現在の位置情報を取得する位置情報取得手段を有し、上記レンタル傘から読み取った傘識別情報と、当該現在の位置情報に基づき、当該レンタル傘の更新情報を生成し、上記サーバに対して更新要求を送信する、
ことを特徴とする上記請求項１〜４のいずれかの項に記載のレンタル傘ＳＮＳ管理システム。
【請求項６】
上記サーバは、上記携帯端末から貸出中のレンタル傘に係る更新要求を受信すると、当該更新要求に含まれる傘識別情報と現在の位置情報に基づき、上記傘情報記憶手段を参照し、当該レンタル傘に係る傘情報を特定し、当該現在の位置情報に更新した傘情報に更新する更新処理手段を、さらに有する、
ことを特徴とする上記請求項５に記載のレンタル傘ＳＮＳ管理システム。
【請求項７】
上記サーバは、レンタル傘に関連して配信される広告情報を記憶する広告情報記憶手段と、
上記傘情報記憶手段を参照し、貸出中のレンタル傘に係る傘情報のうち広告情報が関連付けられた傘情報を特定し、当該傘情報の借主である利用者情報に対して、上記広告情報を関連付け、上記ＳＮＳ内の当該借主に係る利用者情報に広告情報を表示する広告処理手段と、
を更に有し、
上記利用者情報記憶部は、自身が所有者となっているレンタル傘に係る傘識別情報を含む利用者情報を記憶し、
上記傘情報記憶手段は、上記レンタル傘に関連して配信される広告情報の広告識別情報を含む傘情報を記憶する、
ことを特徴とする上記請求項１〜６のいずれかの項に記載のレンタル傘ＳＮＳ管理システム。
【請求項８】
上記サーバは、レンタル傘の利用状況に応じて、当該レンタル傘に係る履歴情報を生成する履歴情報生成手段を、さらに有する、
ことを特徴とする上記請求項１〜７のいずれかの項に記載のレンタル傘ＳＮＳ管理システム。
【請求項９】
レンタル傘の利用者が保持する携帯端末と、ＳＮＳの会員であってレンタル傘の利用者に係る利用者情報を記憶する利用者情報記憶手段と、レンタル傘に係る傘情報を記憶する傘情報記憶手段と、を有しレンタル傘に係る情報と利用者情報を管理するサーバと、がネットワークを介して通信可能に構成され、ＳＮＳ内における利用者情報とレンタル傘情報と管理を行う処理方法であって、
上記サーバが、
上記携帯端末との各種情報の送受信を制御する処理と、
上記携帯端末からのレンタル傘に係る処理要求を受信すると、当該レンタル傘に係る情報と処理要求に係る利用者の情報に基づき、傘情報と利用者情報を関連づけた情報を生成する処理と、
上記生成した情報を当該レンタル傘に関連する利用者情報に関連付け、ＳＮＳ内で当該利用者情報に係る傘情報の表示制御を行う処理と、
を行うことを特徴とする処理方法。
【請求項１０】
レンタル傘の利用者が保持する携帯端末と、ＳＮＳの会員であってレンタル傘の利用者に係る利用者情報を記憶する利用者情報記憶手段と、レンタル傘に係る傘情報を記憶する傘情報記憶手段と、を有しレンタル傘に係る情報と利用者情報を管理するサーバと、がネットワークを介して通信可能に構成され、ＳＮＳ内における利用者情報とレンタル傘情報と管理を実行させるコンピュータプログラムであって、
上記サーバに対して、
上記携帯端末との各種情報の送受信を制御する処理と、
上記携帯端末からのレンタル傘に係る処理要求を受信すると、当該レンタル傘に係る情報と処理要求に係る利用者の情報に基づき、傘情報と利用者情報を関連づけた情報を生成する処理と、
上記生成した情報を当該レンタル傘に関連する利用者情報に関連付け、ＳＮＳ内で当該利用者情報に係る傘情報の表示制御を行う処理と、
を実行させることを特徴とするコンピュータプログラム。
【発明の詳細な説明】
【技術分野】
【０００１】
本発明は、ＳＮＳのユーザ情報にレンタル傘情報を関連付けレンタル傘の管理を行うシステムに関する。
【背景技術】
【０００２】
従来、レンタル傘を用いた管理システムが開示されている。例えば、レンタルショップでの傘の貸出、傘の配送管理を行う技術が開示されている（特許文献１）。
【０００３】
また、傘の返却場所が借りた場所と異なる場所である場合でも、傘の管理を可能とする技術も開示されている。例えば、レンタル用の傘の利用者が借りた場所に制限を受けずに、傘を返却でき、中古買取して返金を可能とする管理システムが開示されている（特許文献２）。
【先行技術文献】
【特許文献】
【０００４】
【特許文献１】特開２００３−９９６８２号公報
【特許文献２】特開２００９−２４５０５８号公報
【発明の概要】
【発明が解決しようとする課題】
【０００５】
上記従来技術によれば、レンタル用の傘の利用者の利便性が向上することや、レンタル傘の集配状況の効率化が図れる。しかしながら、レンタル傘の管理や傘情報の管理が可能であって、当該傘の利用者情報を十分に管理できる技術ではなかった。
【０００６】
例えば、レンタル傘を複数レンタル中の利用者がいる場合や、利用者自身がレンタル傘を購入し、他利用者向けにレンタルを行う場合など、利用者情報と傘情報の管理が十分でなかった。
【０００７】
また、従来のレンタル傘の管理システムでは、レンタル傘の利用状況を管理、適正な保管、配置、配送を管理することによるレンタル傘の利用促進を目的とするものであった。実社会におけるレンタル傘の利用情報に基づく、仮想社会との情報の共有を行うものではなかった。
例えば、仮想社会として、インターネット内での情報交換ができるＳＮＳ（Social  Network  Service）を用いて、実社会での情報をＳＮＳ内の情報として活用し、一方で、ＳＮＳ内の情報を実社会における行動の促進に活用するものではなかった。
【０００８】
そこで、本発明は、実社会における活動情報であるレンタル傘の情報と、仮想社会における利用者情報との関連付けによる管理システムであって、当該レンタル用傘の利用者に対して、レンタル傘の所有者からの広告情報の提供と、レンタル傘の利用促進と需要喚起を目的とする管理システムを提供する。
【課題を解決するための手段】
【０００９】
上述した課題を解決するため、本発明は、レンタル傘の利用者が保持する携帯端末と、レンタル傘に係る情報と利用者情報を管理するサーバと、がネットワークを介して通信可能に構成され、ＳＮＳ内における利用者情報とレンタル傘情報と管理を行うレンタル傘ＳＮＳ管理システムであって、上記サーバは、ＳＮＳの会員であってレンタル傘の利用者に係る利用者情報を記憶する利用者情報記憶手段と、レンタル傘に係る傘情報を記憶する傘情報記憶手段と、上記携帯端末との各種情報の送受信を制御する通信制御手段と、上記携帯端末からのレンタル傘に係る処理要求を受信すると、当該レンタル傘に係る情報と処理要求に係る利用者の情報に基づき、傘情報と利用者情報を関連づけた情報を生成する情報生成手段と、上記生成した情報を当該レンタル傘に関連する利用者情報に関連付け、ＳＮＳ内で当該利用者情報に係る傘情報の表示制御を行うＳＮＳ処理手段と、を有することを特徴とする。
【００１０】
ＳＮＳ（Ｓｏｃｉａｌ  Ｎｅｔｗｏｒｋ  Ｓｅｒｖｉｃｅ）とは、Ｗｅｂサーバの利用者情報をＷｅｂサイトに公開し、利用者のネットワークを形成するサービスである。Ｗｅｂサイトにおける利用者情報の開示範囲の制限を設けることができ、利用者との繋がりの強弱により、開示する利用者情報又はその他の利用者に係るネットワークの情報を制限することができるものである。また、閉鎖的なネットワークを形成することができ、例えば、会員のみによる情報開示若しくは情報閲覧が可能なネットワークをＷｅｂサイトを通じて実現するものである。
【００１１】
上述した課題を解決するため、本発明は、上記レンタル傘には傘を識別できる傘識別情報が付与されており、上記携帯端末は、当該傘識別情報を上記レンタル傘から読み取り、当該傘識別情報と利用者識別情報を含む要求情報を生成し、上記サーバに対して処理要求を送信する、ことを特徴とする。
【００１２】
上述した課題を解決するため、本発明は、上記サーバが、上記携帯端末からレンタル傘の貸出要求を受信すると、当該貸出要求に含まれる傘識別情報に基づき、上記傘情報記憶手段を参照し、当該レンタル傘に係る傘情報を特定し、当該貸出要求に含まれる利用者識別情報に基づき、上記利用者情報記憶手段を参照し、利用者情報を特定し、当該特定した各種情報に基づき、貸出情報を生成する貸出処理手段を、さらに有する、ことを特徴とする。
【００１３】
上述した課題を解決するため、本発明は、上記サーバが、上記携帯端末から貸出中のレンタル傘に係る返却要求を受信すると、当該返却要求に含まれる傘識別情報に基づき、上記傘情報記憶手段を参照し、傘情報を特定し、当該傘情報に係る借主の利用者情報の関連付けを解除し、返却情報を生成する返却処理手段を、さらに有する、をことを特徴とする。
【００１４】
上述した課題を解決するため、本発明は、上記携帯端末が、現在の位置情報を取得する位置情報取得手段を有し、上記レンタル傘から読み取った傘識別情報と、当該現在の位置情報に基づき、当該レンタル傘の更新情報を生成し、上記サーバに対して更新要求を送信する、ことを特徴とする。
【００１５】
上述した課題を解決するため、本発明は、上記サーバが、上記携帯端末から貸出中のレンタル傘に係る更新要求を受信すると、当該更新要求に含まれる傘識別情報と現在の位置情報に基づき、上記傘情報記憶手段を参照し、当該レンタル傘に係る傘情報を特定し、当該現在の位置情報に更新した傘情報に更新する更新処理手段を、さらに有する、ことを特徴とする。
【００１６】
上述した課題を解決するため、本発明は、上記サーバが、レンタル傘に関連して配信される広告情報を記憶する広告情報記憶手段と、上記傘情報記憶手段を参照し、貸出中のレンタル傘に係る傘情報のうち広告情報が関連付けられた傘情報を特定し、当該傘情報の借主である利用者情報に対して、上記広告情報を関連付け、上記ＳＮＳ内の当該借主に係る利用者情報に広告情報を表示する広告処理手段と、を更に有し、上記利用者情報記憶部は、自身が所有者となっているレンタル傘に係る傘識別情報を含む利用者情報を記憶し、上記傘情報記憶手段は、上記レンタル傘に関連して配信される広告情報の広告識別情報を含む傘情報を記憶する、ことを特徴とする。
【００１７】
上述した課題を解決するため、本発明は、上記サーバが、レンタル傘の利用状況に応じて、当該レンタル傘に係る履歴情報を生成する履歴情報生成手段を、さらに有する、ことを特徴とする。
【００１８】
上述した課題を解決するため、本発明は、レンタル傘の利用者が保持する携帯端末と、ＳＮＳの会員であってレンタル傘の利用者に係る利用者情報を記憶する利用者情報記憶手段と、レンタル傘に係る傘情報を記憶する傘情報記憶手段と、を有しレンタル傘に係る情報と利用者情報を管理するサーバと、がネットワークを介して通信可能に構成され、ＳＮＳ内における利用者情報とレンタル傘情報と管理を行う処理方法であって、上記サーバが、上記携帯端末との各種情報の送受信を制御する処理と、上記携帯端末からのレンタル傘に係る処理要求を受信すると、当該レンタル傘に係る情報と処理要求に係る利用者の情報に基づき、傘情報と利用者情報を関連づけた情報を生成する処理と、上記生成した情報を当該レンタル傘に関連する利用者情報に関連付け、ＳＮＳ内で当該利用者情報に係る傘情報の表示制御を行う処理と、を行うことを特徴とする。
【００１９】
上述した課題を解決するため、本発明は、レンタル傘の利用者が保持する携帯端末と、ＳＮＳの会員であってレンタル傘の利用者に係る利用者情報を記憶する利用者情報記憶手段と、レンタル傘に係る傘情報を記憶する傘情報記憶手段と、を有しレンタル傘に係る情報と利用者情報を管理するサーバと、がネットワークを介して通信可能に構成され、ＳＮＳ内における利用者情報とレンタル傘情報と管理を実行させるコンピュータプログラムであって、上記サーバに対して、上記携帯端末との各種情報の送受信を制御する処理と、上記携帯端末からのレンタル傘に係る処理要求を受信すると、当該レンタル傘に係る情報と処理要求に係る利用者の情報に基づき、傘情報と利用者情報を関連づけた情報を生成する処理と、上記生成した情報を当該レンタル傘に関連する利用者情報に関連付け、ＳＮＳ内で当該利用者情報に係る傘情報の表示制御を行う処理と、を実行させることを特徴とする。
【発明の効果】
【００２０】
本発明によれば、レンタル用の傘の利用に起因して、傘の利用者と傘の所有者の情報を共有できるように情報管理することができ、当該利用者と所有者の情報交換を促進することができる。
【図面の簡単な説明】
【００２１】
【図１】本発明の実施形態に係るレンタル傘管理システムの全体概要図
【図２】（ａ）利用者情報記憶部のデータ構造、（ｂ）傘情報記憶部のデータ構造
【図３】レンタル傘管理システムの全体処理を表すシーケンス図
【図４】レンタル傘の貸出処理を表した処理フロー図
【図５】レンタル傘の現在位置等の更新を表した処理フロー図
【図６】レンタル傘の返却処理を表した処理フロー図
【図７】レンタル傘の購入処理を表した処理フロー図
【図８】ユーザ情報とレンタル傘情報の関係性を表した画面例
【発明を実施するための形態】
【００２２】
以下、本発明の一の実施形態に係るレンタル傘情報の管理システムについて、図面を参照して説明を行う。
本実施形態は、ＳＮＳの会員が、レンタル傘を利用することが可能なサービスを実現するためのシステムであって、ＳＮＳにおける会員の利用者情報を用いて、レンタル傘情報を管理する技術である。
図１は、レンタル傘情報の管理システムの全体概要図である。レンタル傘の利用者が所持する携帯端末１、レンタル傘２、店舗等のレンタル傘格納場所３、レンタル用傘の情報及び利用者情報を管理するサーバ４、インターネット等のネットワーク５により構成される。
【００２３】
携帯端末１は、利用者が所持する端末装置であって、管理サーバ４と情報通信が可能に構成され、レンタル傘２に付与されたＩＣタグ等の識別情報を読み取る構成を有する端末装置である。例えば、携帯端末１は、携帯電話やＰＤＡ（Ｐｅｒｓｏｎａｌ  Ｄｉｇｉｔａｌ  Ａｓｓｉｓｔａｎｔ）などの利用者が携帯する端末である。また、携帯端末１は、インターネット情報のＳＮＳサーバにアクセスすることができる構成を有する。なお、図示されていないが、利用者が利用する端末装置とし、携帯端末１とは別に、いわゆるパーソナルコンピュータ（ＰＣ）などがある。
携帯端末１は、演算処理装置や、メモリを制御して情報処理及び、情報通信制御として無線による通信が可能である。さらに、ＧＰＳ（Ｇｌｏｂａｌ  Ｐｏｓｉｔｉｏｎｉｎｇ  Ｓｙｓｔｅｍ）機能を有しており、ＧＰＳ衛星からの信号を受信でき、携帯端末の現在の位置情報を取得することができる。また、ネットワークを介して、サーバ４と無線通信が可能に構成されている。
【００２４】
レンタル傘２には、携帯端末１によって読取可能な固有の識別情報が付与されている。例えば、レンタル傘の識別情報を格納する媒体として、ＩＣ（Ｉｎｔｅｇｒａｔｅｄ  Ｃｉｒｃｕｉｔ）タグやＱＲコードなどの二次元バーコードがある。レンタル傘２は、当該システムを利用可能と認証を受けて利用者に対して、無償で貸し出されるものである。
また、レンタル傘２は、上記識別情報に加えて、広告情報や、命名権情報が貼り付けられていてもよい。なお、レンタル傘２は、当該レンタル傘の購入者の指示に基づき、指定の貸出返却所３に配置されていてもよい。
貸出返却所３は、駅売店やコンビニエンスストアなどである。貸出返却所３は、有人の駅の売店等や、無人の貸出回収箱であってもよく、当該貸出返却所３を識別できる固有の識別情報が付与されている。例えば、貸出返却所３として駅売店やコンビニエンスストアなどの場合、ＰＯＳ（Ｐｏｉｎｔ  Ｏｆ  Ｓａｌｅ）レジにて、レンタル傘２に付与された識別情報を読み取り、管理サーバ４に送信するものであってもよい。
【００２５】
サーバ４は、利用者情報やレンタル傘情報の管理を行う装置である。サーバ４は、演算処理装置であるＣＰＵを有し、ＲＡＭ、ＲＯＭ等のメモリや、ハードディスクドライブなどの外部メモリを制御し、ＣＰＵが実行するコンピュータプログラムにより情報処理を行うものである。また、ネットワークを介して、利用者端末と通信可能に構成されている。
本実施形態に係るサーバ４は、利用者情報記憶部４１、傘情報記憶部４２、広告情報記憶部４３、通信制御部４４、貸出処理部４５、追跡処理部４６、返却処理部４７、購入処理部４８、広告処理部４９、ＳＮＳ処理部５０、を有する構成である。
【００２６】
ユーザ情報記憶部４１は、利用者に係る情報である利用者情報を記憶する記憶部である。
利用者情報とは、利用者ＩＤなど利用者を識別できる利用者識別情報、パスワード、氏名、住所、所有する傘の識別情報、友達の利用者識別情報などを含む情報である。例えば、利用者情報記憶部４１は、図２（ａ）に例示の利用者情報に係るデータ構造を有するものであってもよい。
また、ユーザ情報記憶部４１に登録する利用者情報は、ＳＮＳサーバ５に登録済みの利用者情報を利用するものであってもよい。例えば、管理サーバ４が、ＳＮＳに登録済みに利用者識別情報等に基づき、ＳＮＳサーバ５に照会を行い、対応する利用者情報を受信し、利用者情報記憶部４１に登録することができてもよい。
【００２７】
傘情報記憶部４２は、レンタル傘に関する情報である傘情報を記憶する記憶部である。
傘情報とは、傘ＩＤなど傘を識別できる傘識別情報、傘の所有者である利用者の利用者識別情報、レンタル傘の希望配置場所情報、現在の利用状況、借主である利用者の利用者識別情報、貸出時の貸出返却場所情報、現在の位置情報、返却時の貸出返却場所情報、広告識別情報、命名権識別情報などを含む情報である。例えば、傘情報記憶部４２は、図２（ｂ）に例示の傘情報に係るデータ構造を有するものであってもよい。
【００２８】
広告情報記憶部４３は、レンタル傘の所有者が当該レンタル傘を借りだした利用者に対して宣伝をしたい情報である広告情報を記憶する記憶部である。
広告情報とは、広告識別情報に関連付けて、傘識別情報、傘の所有者である利用者の利用者識別情報、広告の内容を表す広告内容情報などを含む情報である。広告情報は、レンタル傘の購入者である利用者が、レンタル傘の利用に際して当該レンタル傘の利用者に対し、配信を希望する商品の宣伝や企業の宣伝などの情報を含むものである。
また、広告情報の配信を希望する利用者は、レンタル傘の購入を行うことで当該レンタル傘の所有者になると同時に、当該レンタル傘の傘情報に広告情報を関連付けることができる。例えば、ＳＮＳサイト内で、広告情報の配信が可能となる命名権を付与したレンタル傘を販売し、当該命名権付きのレンタル傘を利用者が購入することで、広告情報をＳＮＳ内の借主情報に対しえ配信することができる。
【００２９】
通信制御部４４は、ネットワークを介して、携帯端末１と各種情報を通信可能に制御する。例えば、通信制御部４４は、携帯端末１からレンタル傘の貸出要求や、レンタル傘の現在の位置情報の更新要求や、レンタル傘の返却要求を携帯端末１から受信する。通信制御部４４は、貸出要求等を受信した際に現在の日時情報を記録する。
【００３０】
貸出処理部４５は、携帯端末１からレンタル傘の貸出要求を受信すると、当該貸出要求に基づくレンタル傘の貸出処理を行う。貸出要求には、利用者識別情報とレンタル傘に付与された傘識別情報と借り出した場所に係る貸出返却所識別情報を含む。
【００３１】
追跡処理部４６は、携帯端末１から利用中のレンタル傘の更新要求を受信すると、当該更新要求に基づく傘情報と利用者情報の更新処理を行う。更新要求には、利用者識別情報とレンタル傘に付与された傘識別情報と現在の位置情報とを含む。
【００３２】
返却処理部４７は、携帯端末１から利用中のレンタル傘の返却要求を受信すると、当該返却要求に基づく返却処理を行う。返却要求には、利用者識別情報とレンタル傘に付与された傘識別情報と返却場所である貸出返却所識別情報を含む。
【００３３】
購入処理部４８は、レンタル傘の購入要求を受信すると、新規レンタル傘の購入処理を行う。購入要求には、利用者識別情報、本数、購入金額、広告情報の有無、レンタル傘の希望配置場所などの情報を含む。購入要求は、携帯端末１からの送信の他、図示しない利用者が利用する端末装置、例えばパーソナルコンピュータなど、からの送信であり、管理サーバ４に通信された情報である。
【００３４】
広告処理部４９は、傘情報と広告情報を関連付けて、レンタル傘利用中の借主である利用者情報に対して、広告情報を配信する処理を行う。例えば、広告情報が設定されているレンタル傘を借り出している借主のＳＮＳサイト内の利用者情報に対して、当該レンタル傘の広告情報を配信する処理を行う。
【００３５】
ＳＮＳ処理部５０は、ＳＮＳサイトを利用する利用者の会員登録処理や、会員の利用者情報の更新処理など、ＳＮＳサイトの管理処理を行う。
【００３６】
次に、図３を参照して、本実施形態に係るレンタル傘管理システムの全体処理について説明する。図３は、携帯端末１で読み取った識別情報に基づき、サーバ４へ各種処理要求をする場合を表したシーケンス図である。
レンタル傘２には、当該レンタル傘を識別可能な識別情報が付与されている。同様に、貸出返却所３には、当該貸出返却所３を識別可能な識別情報が付与されている。例えば、レンタル傘２や貸出返却所３には、ＩＣタグが埋め込まれていたり、ＱＲコードなどの二次元バーコードを印字若しくは貼りつけてあるものとする。
携帯端末１は、レンタル傘２に付与されている傘識別情報を読み取る（Ｓ１）。また、携帯端末１は、貸出返却所３に付与されている貸出返却所識別情報を読み取る（Ｓ２）。携帯端末１は、上記読み取った識別情報に基づき、貸出要求情報を生成し、サーバ４に対してレンタル傘の貸出要求を送信する（Ｓ３）。サーバ４は、携帯端末１から貸出要求を受信すると貸出処理を行う（Ｓ４）。
【００３７】
携帯端末１は、レンタル傘２に付与されている傘識別情報を読み取る（Ｓ１）。また、携帯端末１は、ＧＰＳ機能と用いて現在の位置情報を取得し、現在情報を生成し、サーバ４に対してレンタル中の傘情報の更新要求を送信する（Ｓ５）。サーバ４は、携帯端末１から更新要求を受信すると、更新処理を行う（Ｓ６）。
【００３８】
携帯端末１は、レンタル傘２に付与された識別情報を読み取る（Ｓ１）。また、携帯端末１は、返却場所である貸出返却所３に付与されている貸出返却所識別情報を読み取る（Ｓ２）。携帯端末１は、上記読み取った識別情報に基づき、返却要求情報を生成し、サーバ４に対してレンタル傘の返却要求を送信する（Ｓ７）。サーバ４は、携帯端末１からレンタル傘の返却要求を受信すると、返却処理を行う（Ｓ８）。
【００３９】
次に、図４を参照して、レンタル傘の貸出処理について説明する。図４は、レンタル傘の貸出処理を表した処理フロー図である。
サーバ４は、携帯端末１からレンタル傘の貸出要求を受信する（Ｓ１０１）。受信した貸出要求に含まれる傘識別情報、貸出返却所識別情報に基づき、傘情報記憶部４２を参照する（Ｓ１０２）。上記傘識別情報に係る傘情報中の貸出返却所識別情報と、上記受信した傘識別情報の一致判別を行う（Ｓ１０３）。当該一致判別において、傘識別情報と貸出返却所識別情報との組み合わせが一致しない場合（Ｓ１０３：Ｎ）、不正な貸出要求であると判別して、当該貸出要求処理を終了する。
【００４０】
一方、上記一致判別の結果、傘識別情報と貸出返却所識別情報との組み合わせが一致した場合（Ｓ１０３：Ｙ）、適正な貸出要求であると判別し、利用者情報を特定するため利用者情報記憶部４１を参照する（Ｓ１０４）。上記傘識別情報に係る傘情報に、当該傘の所有者として登録されている利用者識別情報を抽出し、利用者情報記憶部４１を参照し、所有者である利用者情報を特定する（Ｓ１０５）。また、上記受信した貸出要求に含まれる利用者識別情報に基づき、利用者情報記憶部４１を参照して、当該傘の貸出を希望する利用者情報を特定する（Ｓ１０６）。
【００４１】
上記特定した貸出希望の利用者に係る利用者情報を借主とする傘情報を生成し、傘識別情報を付与して、傘情報記憶部４２に登録する（Ｓ１０７）。また、貸主である利用者情報と、所有者である利用者情報との関連付けを行う（Ｓ１０８）。
【００４２】
次に、図５を参照して、貸出中の傘情報の更新処理について説明する。図５は、貸出中の傘情報の更新処理を表した処理フロー図である。
利用者は、携帯端末１により傘識別情報を読み取る。また、携帯端末１は、ＧＰＳ機能により現在の位置情報を取得し、利用者識別情報を含むレンタル傘の更新情報を生成する。
サーバ４は、携帯端末１から貸出中のレンタル傘の更新要求を受信する（Ｓ２０１）。受信した更新要求に含まれる傘識別情報に基づき、傘情報記憶部４２を参照する（Ｓ２０２）。上記受信した更新要求に含まれる傘識別情報と利用者識別情報に基づき、傘情報記憶部４２に記憶されている当該傘識別情報と借主に係る利用者識別情報との組み合わせが一致するか否かを判別する（Ｓ２０３）。
【００４３】
上記一致判別の結果、傘識別情報と利用者識別情報との組み合わせが一致しない場合（Ｓ２０３：Ｎ）、当該更新要求は不正なものとして処理を終了する。一方、上記一致判別の結果、傘識別情報と利用者識別情報との組み合わせが一致する場合（Ｓ２０３：Ｙ）、上記更新要求に含まれる位置情報と抽出し、傘情報記憶部４２の現在の位置情報を更新する（Ｓ２０４）。
【００４４】
次に、図６を参照して、レンタル傘の返却処理について説明する。図６は、レンタル用傘の返却処理を表した処理フロー図である。
利用者は、携帯端末１により傘識別情報を読み取る。また、携帯端末１は、貸出返却所識別情報を読み取り、上記傘識別情報と利用者識別情報を含むレンタル傘の返却要求情報を生成する。
サーバ４は、携帯端末１から利用中の傘の返却要求を受信する（Ｓ３０１）。受信した返却要求に含まれる傘識別情報と利用者識別情報に基づき、傘情報記憶部４２を参照する（Ｓ３０２）。傘情報記憶部４２に記憶されている傘識別情報と借主として登録されている利用者識別情報が、上記受信した返却要求に含まれる傘識別情報と利用者識別情報の組合せに一致するか否かを判別する（Ｓ３０３）。
【００４５】
上記一致判別の結果、傘識別情報と利用者識別情報との組み合わせが一致しない場合（Ｓ３０３：Ｎ）、不正な返却要求であるとして、当該返却要求処理を終了する。一方、上記一致判別の結果、傘識別情報と利用者識別情報との組み合わせが一致する場合（Ｓ３０３：Ｙ）、適正な返却要求であると判別され、上記返却要求に含まれる返却場所に係る貸出返却所識別情報を、傘情報記憶部４２の当該傘情報の返却場所に登録する（Ｓ３０４）。また、傘情報記憶部４２の当該傘情報に係る借主として登録されている利用者識別情報を削除する（Ｓ３０５）。
【００４６】
上記借主の利用者識別情報を傘情報から削除すると、当該利用者識別情報に基づき、利用者情報記憶部４１を参照する（Ｓ３０６）。当該利用者識別情報に係る利用者情報を特定すると（Ｓ３０７）、当該利用者情報に関連づけられていた上記返却に係る傘識別情報を削除する（Ｓ３０８）。また、当該傘の所有者である利用者情報と、当該返却に係る利用者情報との関連付けを解除する（Ｓ３０９）。
【００４７】
次に、図７を参照して、レンタル傘の購入処理について説明する。図７は、レンタル傘の購入処理を表す処理フロー図である。
利用者は、携帯端末１またはパーソナルコンピュータなどの端末装置を用いて、管理サーバ４へアクセスし、レンタル傘の購入要求情報を生成し、管理サーバ４へ購入要求を送信する。
サーバ４は、レンタル用傘の購入要求を受信する（Ｓ４０１）。受信した購入要求に係る傘情報が、広告情報を配信することができる設定がされているか否かを判別する（Ｓ４０２）。判別の結果、広告ありの傘情報である場合（Ｓ４０２：Ｙ）、当該傘情報に関連づける広告情報を生成する（Ｓ４０３）。一方、上記判別の結果、広告なしの傘情報である場合（Ｓ４０２：Ｎ）、広告情報の生成を行わずに購入処理を継続する。
【００４８】
上記広告情報の生成をすると、当該購入対象である傘情報に対して、傘識別情報を付与し、上記購入要求に含まれる利用者識別情報に基づき、当該傘の所有者とする傘情報を生成する（Ｓ４０５）。上記生成した傘情報は、傘情報記憶部４２に登録する（Ｓ４０６）。
【００４９】
上記受信した購入要求に含まれる利用者識別情報に基づき、利用者情報記憶部４１を参照し（Ｓ４０７）、当該傘の購入者である利用者情報を特定し（Ｓ４０８）、利用者情報に上記傘識別情報を関連付けて登録する（Ｓ４０９）。
【００５０】
次に、図８を参照して、ＳＮＳの会員である利用者の利用者情報と傘情報の表示画面例について説明する。図７は、ＳＮＳ会員の利用者毎の情報を表示した画面例である。
利用者情報に関連付けられた傘情報を表示するものである。
【００５１】
以上の通り、本発明によりＳＮＳの会員である利用者は、レンタル傘の利用が容易にできるようになり、利用者情報と傘情報の関連付けが容易にできる。
【００５２】
また、ＳＮＳに参加する利用者が無料又は安価な傘の貸出サービスを受けることができ、レンタル傘を公共社会インフラとして定着させることができる。レンタル傘に係る購入費は、ＳＮＳを通じて広告の配信を希望する利用者が負担するものである。レンタル傘を購入した利用者が、自身の希望する広告情報をＳＮＳを通じて、レンタル傘の利用者に対して配信することができる。
【００５３】
ＳＮＳの管理者が購入要求に係る傘を実際に買いに行き、購入者が希望する配置希望場所である駅売店やコンビニエンスストアに傘を配置するものであってもよい。
また、一の利用者が同時に貸出可能なレンタル傘の本数を制限するものであってもよい。この場合、レンタル傘の返却に応じて、貸出可能な本数を増加させることも可能である。さらに、ＳＮＳ管理者は、定期的に鉄道会社等の忘れもの預かり所へ赴き、ＳＮＳ管理下にあるレンタル傘を回収し、あるべき貸出返却所へ戻すものである。
【００５４】
また、レンタル傘の購入者はＳＮＳの個人ユーザに限られず、企業などであってもよい。また、企業は、個人が購入したレンタル傘に係る広告情報を配信する権利を、当該個人から購入することができるものであってもよい。
【００５５】
また、ＳＮＳを活用し、利用者が購入した傘情報をアバター化して、ＳＮＳサイト内に表現するものであってもよい。この場合、実社会で実際に貸し出された傘情報を、仮想現実のＳＮＳサイト内で、表現するものである。例えば、実際に貸し出され移動した距離、位置情報に応じて、アバター傘がＳＮＳ内を旅するものである。
【００５６】
また、利用者が借りている傘が、これまで旅してきたマイル等の距離に応じてポイントが付与される等のサービスを提供するものであってもよい。さらに、アバターの経験値が上がる等のＳＮＳサイト内でのメリットを提供する。また、全てのＳＮＳ管理下のレンタル傘の中で、特定のレンタル傘を抽選で選び、ポイントが付与される等のサービスを提供する。
【００５７】
また、自身が購入したレンタル傘のうち、広告情報を配信できる傘の利用状況に応じて、例えば、これまでの総移動距離や、何人に使用されたか等の実績に基づき、アバターを強化するものであってもよい。自分がこれまでに借りた傘が、どれだけ移動したかに基づき、他人と競うものであってもよい。
【００５８】
また、ＳＮＳの会員である利用者は、レンタル傘を購入することができる。また、レンタル傘の利用者に対して広告情報を配信することができる命名権を購入できる。
【００５９】
また、利用者が保持する携帯端末から、レンタル傘の借主に係る利用者からの紛失届等を管理サーバに送信した場合、管理サーバは、当該紛失届に係るレンタル傘情報に対して、紛失フラグなど識別できる情報を付加し、当該レンタル傘に対する返却要求を受信した場合には、上記借主である利用者情報と異なる利用者に係る利用者識別情報を含む上記レンタル傘の返却要求であっても、適正に返却処理を行うことができるものであってもよい。
【００６０】
また、上述の実施形態において、レンタル傘を購入した利用者が広告情報を配信する場合について、説明を行ったが、本発明はこれに限定されるものではない。例えば、レンタル傘の購入者である利用者と異なる利用者が、上記レンタル傘の購入は行わずに、広告情報を配信する権利のみを、当該購入者から購入することができるものであってもよい。これにより、自身がレンタル傘の所有者となることなく、広告情報を配信したい者は、当該レンタル傘の利用者に対して、自身が配信したい広告情報の設定及び配信が可能となる。
【符号の説明】
【００６１】
１  携帯端末
２  レンタル傘
３  貸出返却所
４  管理サーバ
【図１】
2012008614.tif 000003
【図２】
2012008614.tif 000004
【図３】
2012008614.tif 000005
【図４】
2012008614.tif 000006
【図５】
2012008614.tif 000007
【図６】
2012008614.tif 000008
【図７】
2012008614.tif 000009
【図８】
2012008614.tif 000010